【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
再構成可能マルチプレクサであって、
信号ポートとの多経路動作可能性及び接続可能性を含むスイッチングネットワークと、
前記スイッチングネットワークと第１無線アクセスネットワークに関連付けられた第１双方向ポートとの間に実装された第１フィルタと、
前記スイッチングネットワークと第２無線アクセスネットワークに関連付けられた第２双方向ポートとの間に実装された第２フィルタと、
前記スイッチングネットワークと第３無線アクセスネットワークに関連付けられた第３双方向ポートとの間に実装された第３フィルタと、
前記信号ポートと前記第１双方向ポート及び前記第２双方向ポートのいずれか一方又はその双方との間の各信号経路を与えるように前記スイッチングネットワークを制御するべく実装された制御器と
を含み、
前記第１フィルタは、前記第１無線アクセスネットワークに対応する第１セルラー周波数帯域を通過させるべく構成され、
前記第２フィルタは、前記第２無線アクセスネットワークに対応する無線ローカルエリアネットワーク周波数帯域を通過させるべく構成され、
前記第３フィルタは、前記第３無線アクセスネットワークに対応する第２セルラー周波数帯域を通過させるべく構成され、
前記無線ローカルエリアネットワーク周波数帯域は、前記第１セルラー周波数帯域と前記第２セルラー周波数帯域との間に存在し、
前記スイッチングネットワークは、前記第１フィルタ、前記第２フィルタ及び前記第３フィルタの任意の組み合わせを同時に前記信号ポートに結合するべく構成されるマルチプレクサ。
【請求項２】
前記制御器は、前記信号ポートと前記第１双方向ポート、前記第２双方向ポート及び前記第３双方向ポートのいずれか一つ以上との間に各信号経路を与えるように前記スイッチングネットワークを制御する請求項１のマルチプレクサ。
【請求項３】
フロントエンドアーキテクチャであって、
信号ポートとの多経路動作可能性及び接続可能性を有するスイッチングネットワークと、前記スイッチングネットワークとそれぞれが複数の無線アクセスネットワークに関連付けられた複数の双方向ポートとの間に実装されたフィルタアセンブリとを含む再構成可能マルチプレクサと、
前記フィルタアセンブリに結合された増幅器アセンブリであって、前記フィルタアセンブリから受信した信号を増幅するべく構成された増幅器アセンブリと、
前記信号ポートと前記複数の双方向ポートの一つ以上の任意の順列との間に各信号経路を与えるように前記スイッチングネットワークを制御するべく実装された制御器と
を含み、
前記フィルタアセンブリは、
第１無線アクセスネットワークに対応する第１セルラー周波数帯域を通過させるべく構成された第１フィルタと、
第２無線アクセスネットワークに対応する無線ローカルエリアネットワーク周波数帯域を通過させるべく構成された第２フィルタと、
第３無線アクセスネットワークに対応する第２セルラー周波数帯域を通過させるべく構成された第３フィルタと
を含み、
前記無線ローカルエリアネットワーク周波数帯域は、前記第１セルラー周波数帯域と前記第２セルラー周波数帯域との間に存在し、
前記スイッチングネットワークは、前記第１フィルタ、前記第２フィルタ及び前記第３フィルタの任意の組み合わせを同時に前記信号ポートに結合するべく構成されるフロントエンドアーキテクチャ。
【請求項４】
前記フィルタアセンブリから前記複数の双方向ポートの一つへの少なくとも一つの信号経路は、前記増幅器アセンブリを通過しない請求項３のフロントエンドアーキテクチャ。
【請求項５】
前記フィルタアセンブリの少なくとも一つのフィルタを通過する信号を受信するべく構成されたデュプレクサをさらに含む請求項３のフロントエンドアーキテクチャ。
【請求項６】
前記制御器はさらに、前記デュプレクサを制御するべく構成される請求項５のフロントエンドアーキテクチャ。
【請求項７】
前記フィルタアセンブリは第１複数のフィルタ及び第２複数のフィルタを含み、
前記第１複数のフィルタのそれぞれは、各セルラー周波数帯域内の信号を通過させるべく構成され、
前記第２複数のフィルタのそれぞれは、各無線ローカルエリアネットワーク周波数帯域内の信号を通過させるべく構成される請求項３のフロントエンドアーキテクチャ。
【請求項８】
前記第２複数のフィルタのそれぞれに関連付けられたデュプレクサをさらに含む請求項７のフロントエンドアーキテクチャ。
【請求項９】
無線デバイスであって、
ダイバーシティアンテナと、
前記ダイバーシティアンテナからの信号を受信して第１周波数範囲の信号を第１経路に沿うように与えるとともに第２周波数範囲の信号を第２経路に沿うように与えるべく構成されたトライプレクサと、
第１信号ポートにおいて前記トライプレクサからの第１経路に結合された第１再構成可能マルチプレクサであって、第１スイッチングネットワークと、前記第１スイッチングネットワークと第１複数の無線アクセスネットワークに関連付けられた第１複数の双方向ポートとの間に実装された第１フィルタアセンブリとを含む第１再構成可能マルチプレクサと、
前記第１フィルタアセンブリに結合された第１増幅器アセンブリであって、前記第１フィルタアセンブリから受信した信号を増幅するべく構成された第１増幅器アセンブリと、
第２信号ポートにおいて前記トライプレクサからの前記第２経路に結合された第２再構成可能マルチプレクサであって、第２スイッチングネットワークと、前記第２スイッチングネットワークと第２複数の無線アクセスネットワークに関連付けられた第２複数の双方向ポートとの間に実装された第２フィルタアセンブリとを含む第２再構成可能マルチプレクサと、
前記第２フィルタアセンブリに結合された第２増幅器アセンブリであって、前記第２フィルタアセンブリから受信した信号を増幅するべく構成された第２増幅器アセンブリと、
前記第１信号ポートと前記第１複数の双方向ポートの一つ以上の任意の順列との間に各信号経路を与えるように前記第１スイッチングネットワークを制御するべく、及び前記第２信号ポートと前記第２複数の双方向ポートの一つ以上の任意の順列との間に各信号経路を与えるように前記第２スイッチングネットワークを制御するべく、実装された制御器と
を含み、
前記第２フィルタアセンブリは、
前記第２複数の無線アクセスネットワークの少なくとも一つに対応する第１セルラー周波数帯域を通過させるべく構成された第１フィルタと、
前記第２複数の無線アクセスネットワークの少なくとも一つに対応する無線ローカルエリアネットワーク周波数帯域を通過させるべく構成された第２フィルタと、
前記第２複数の無線アクセスネットワークの少なくとも一つに対応する第２セルラー周波数帯域を通過させるべく構成された第３フィルタと
を含み、
前記無線ローカルエリアネットワーク周波数帯域は、前記第１セルラー周波数帯域と前記第２セルラー周波数帯域との間に存在し、
前記第２スイッチングネットワークは、前記第１フィルタ、前記第２フィルタ及び前記第３フィルタの任意の組み合わせを同時に前記第２信号ポートに結合するべく構成されるデバイス。
【請求項１０】
前記トライプレクサはさらに、前記ダイバーシティアンテナからの信号を受信して第３周波数範囲の信号を第３経路に沿って与えるべく構成される請求項９のデバイス。
【請求項１１】
前記第２再構成可能マルチプレクサは、第３信号ポートにおいて前記トライプレクサからの第３経路に結合され、
前記第２再構成可能マルチプレクサは、前記第３信号ポートからの信号を受信して第３複数の無線アクセスネットワークに関連付けられた第３複数の双方向ポートへと向ける第３スイッチングネットワークを含む請求項１０のデバイス。
【請求項１２】
前記第３複数の無線アクセスネットワークは、無線ローカルエリアネットワーク周波数帯域に対応する少なくとも一つの無線アクセスネットワークを含む請求項１１のデバイス。